(57)【要約】      （修正有）【課題】環境に悪影響をおよぼすことなく、蚊の発生を効果的に防止することができる雨水ますを提供する。【解決手段】雨水ますは、排水管２３〜２６の途中にます本体２１を設置し、このます本体２１の上部に雨水を通すます蓋（スクリーン）２２を取付け、このます蓋２２の下方に蚊の発生を防止する蚊発生防止装置３５を付設した雨水ますであって、蚊発生防止装置３５を、ます蓋２２に向けて超音波を発生させるためにます本体２１に設けた超音波発生部６１と、この超音波発生部６１を制御するためにます本体２１に設けた制御ユニット（制御部）５９と、この制御ユニット５９に電力を供給するためにます本体２１の外部に設けた太陽電池（電源）２８と、から構成した。【選択図】        図３
2004285637.tif 000002
【特許請求の範囲】
【請求項１】
排水管や排水溝の途中にます本体を設置し、このます本体の上部に雨水を通すスクリーンを取付け、このスクリーンの下方に蚊の発生を防止する蚊発生防止装置を付設した雨水ますであって、
前記蚊発生防止装置は、前記スクリーンに向けて超音波を発生させるために前記ます本体に設けた超音波発生部と、この超音波発生部を制御するために前記ます本体に設けた制御部と、この制御部に電力を供給するために前記ます本体の内部若しくは外部に設けた電源と、からなることを特徴とする雨水ます。
【発明の詳細な説明】
【０００１】
【発明の属する技術分野】
本発明は、路上や庭に集まる雨水を排水管に流下させる雨水ますに関する。なお、「ます」に枡、桝、マスの字が充てられることがあるが、この明細書では「ます」と表記する。
【０００２】
【従来の技術】
雨水ますは、排水管や排水溝などから集めた雨水を下水道に流下させるための施設であって、地上の水を流入させるために適当な間隔を保って設置するものである。すなわち、雨水ますは地中と地上との連絡路となる。
夏場で雨が少なく、排水管に水が流れていないときに、雨水ますの底に若干の水が溜まることがある。この溜まり水に蚊が卵を産み付け、ぼうふらが発生し、蚊が大量に発生することがあり、その対策が必要となる。
【０００３】
この対策として、ますの内部に中蓋を設けて、蚊の発生や悪臭の飛散を防止することが知られている（例えば、特許文献１参照。）。
また、ますの内部に銅材を設け、銅の殺菌作用で蚊の発生を防止することが知られている（例えば、特許文献２参照。）。
【０００４】
【特許文献１】
特開２００２−２０１７０４公報  （第６頁、図１）
【特許文献２】
特開２０００−１５４５８９公報  （第３頁、図１）
【０００５】
以上の特許文献１の図１及び特許文献２の図１を再掲し上記技術を説明する。
ただし、特許文献１及び特許文献２に記載の符号を新しく振り直すとともに記載の名称も一部変更した。
【０００６】
図１０は特開２００２−２０１７０４公報の図１の再掲図である。
雨水ます２００は、ます本体２０１にます蓋２０２を取付け、ます本体２０１の内部に中蓋２０３を取付け、この中蓋２０３に開閉自在の左右の傾斜片２０４，２０４を設け、これらの傾斜片２０４，２０４を巻きばね２０５，２０５で付勢したものであって、雨水が一定量を超えて一定以上の重量になると巻きばね２０５，２０５のばね力に抗して傾斜片２０４，２０４を開放させ、降雨がないときは傾斜片６，６を巻きばね２０５，２０５のばね力で閉じるようにしたものである。なお、２０６はます本体２０１に接続した排水管である。
【０００７】
すなわち、殆どの期間において中蓋２０３が閉じているため、外からの蚊の浸入を防ぐことができる。蚊が浸入しなければ、ぼうふらが発生する虞がない。仮に、ぼうふらが発生したとしても、成虫となった蚊が中蓋２０３で閉じこめられるため、蚊の発生を効果的に防止することができ、且つ、臭気の漏洩も防止することができるというものである。
【０００８】
図１１は特開２０００−１５４５８９公報の図１の再掲図である。
雨水ます２１０は、対向する内部側壁２１１，２１２の内部にそれぞれ角棒状ガイド２１３，２１４を取付け、これらの角棒状ガイド２１３，２１４と内部側壁２１１，２１２との間それぞれに板状銅部材２１５を差し込んだもので、水が滞留する箇所に設けた板状銅部材２１５の抗菌作用により、蚊が産み付けた卵を死滅させることができ、蚊の発生を防止することができるというものである。なお、２１６は雨水ます２００に接続した排水管である。
【０００９】
【発明が解決しようとする課題】
しかし、上記特許文献１の雨水ます２００では、傾斜片２０４，２０４が開いた際に蚊は中蓋２０３を通過することができ、少数ではあるが蚊が出入りする心配がある。また、雨水ます２００では、雨水が増水した場合、排水管２０６から逆流した雨水で中蓋２０３に無理な力が加わり、傾斜片２０４，２０４が壊れる虞がある。
【００１０】
上記特許文献２の雨水ます２１０では、板状銅部材２１５によって排水とともに銅の錆や銅化合物が流出して水質が変化する虞があり、環境に悪影響をおよぼす心配がある。
【００１１】
そこで、本発明の目的は、良好な環境の保全をすることができるとともに蚊の発生を効果的に防止することができ、且つ耐久性の高い雨水ますを提供することにある。
【００１２】
【課題を解決するための手段】
上記目的を達成するために請求項１は、排水管や排水溝の途中にます本体を設置し、このます本体の上部に雨水を通すスクリーンを取付け、このスクリーンの下方に蚊の発生を防止する蚊発生防止装置を付設した雨水ますであって、蚊発生防止装置を、スクリーンに向けて超音波を発生させるためにます本体に設けた超音波発生部と、この超音波発生部を制御するためにます本体に設けた制御部と、この制御部に電力を供給するためにます本体の内部若しくは外部に設けた電源と、から構成したことを特徴とする。
【００１３】
例えば、環境に悪影響をおよぼすことなく、蚊の発生を効果的に防止することができるとすれば、環境保全を図る上で好ましいことである。
一般的に、産卵期の雌の蚊は、雄の蚊との接触を嫌う性質があることが知られる。従って、雄の蚊が発生する周波数の超音波を発生することで、雌の蚊を追い払えると考えられる。
【００１４】
そこで、スクリーンに向けて超音波を発生させるためにます本体に超音波発生部を設け、この超音波発生部を制御するためにます本体に制御部を設け、この制御部に電力を供給するためにます本体の内部若しくは外部に電源を設けることで、ます本体に溜まった雨水に蚊が卵を産み付けようとするときに、超音波を発生させ蚊を追い払うようにした。雨水ますに人間の耳には聞こえにくい超音波を発生させるだけなので、例えば、雨水ますの下流に公害を引き起すような物質を流すことはない。この結果、環境の保全を図ることができる。
【００１５】
【発明の実施の形態】
本発明の実施の形態を添付図に基づいて以下に説明する。なお、図面は符号の向きに見るものとする。
図１は本発明に係る雨水ますを埋設する道路の鳥観図であり、１０は道路、１１は車道、１２は歩道、１３は横断歩道、１４は路肩、１５は歩道１２の敷石、１６は街路樹、１７は街路樹の植込み部、２０は路肩１４に設けた本発明に係る雨水ます、２１はます本体、２２はます本体２１に被せるスクリーンとしてのます蓋、２３〜２６は雨水ます５０・・・（・・・は複数個を示す。以下同じ）同士を繋ぐ排水管、２７は排水管２５と排水管２６を連結するエルボ（ｅｌｂｏｗ）管、２８は電源としての太陽電池を示す。
【００１６】
雨水ます２０は、排水管２３〜２６や排水溝（不図示）などから集めた雨水を下水道に流下させるための施設であって、地上の水を流入させる地中と地上との連絡路と言うべきものであり、後述するように、排水管２３〜２６に水が流れていないときに、雨水ます２０の底に溜まった溜まり水に蚊が卵を産み付け、ぼうふらが発生し、蚊が大量に発生することを防止する機能を備えた雨水ますであり、以下その詳細を説明する。
【００１７】
図２は本発明に係る雨水ますの分解斜視図であり、雨水ます２０は、雨水を集め排出するます本体２１と、ます本体２１の上部開口３２に被せる中蓋３３と、この中蓋３３の上からます本体２１に被せるます蓋２２と、これらのます蓋２２と中蓋３３を繋ぐチェーン３４と、植込み部１７（図１参照）に設置した太陽電池２８と、からなる。
【００１８】
ます本体２１は、排水管２３，２４を接続するために底４１から所定の高さを保って開けた排水管接続孔４２，４３と、これらの排水管接続孔４２，４３から底４１までの間に雨水の一部を貯留する溜まり部４４と、ます蓋２２及び中蓋３３を支持するための段差部４５と、ます蓋２２及び中蓋３３を配置するための上部開口３２と、からなる。
【００１９】
ます蓋２２は、複数の開口孔５５・・・を備えた網状の部材であり、チェーン３４を取付ける取付け部５６を備える。
中蓋３３は、ます本体２１の内寸に略同一寸法に形成した枠体５７と、この枠体５７にスイング自在に取付けたシャッタ部材５８と、枠体に取付けた制御部としての制御ユニット５９と、この制御ユニット５９で制御する超音波発生部６１と、からなる。なお、超音波発生部６１は、スピーカ、電子ブザー若しくは加振機等の超音波を発生させる部材である。
また、蚊発生防止装置３５は、上述した太陽電池２８、制御ユニット５９及び超音波発生部６１で構成する装置であり、詳細は図５にて説明する。
【００２０】
図３は本発明に係る雨水ますの正面断面図であり、枠体５７は、チェーン３４を係止する係止部６２と、シャッタ部材５８を回転自在に支持する支軸６３，６３と、シャッタ部材５８を止めるストッパ片６４と、このストッパ片６４に被せることでシャッタ部材５８の開閉音を和らげる防音用ダンパ部材６５と、を備える。
【００２１】
シャッタ部材５８は、平板状のシャッタ本体板６６と、このシャッタ本体板６６の左右に形成することで支軸６３，６３に回転自在に嵌合させる支持部６７，６７と、雨水を所定量のみ溜めることのできる一時貯留部６８と、ストッパ片６４（防音用ダンパ部材６５）に当てるストッパ部６９とを備え、このストッパ部６９よりも一時貯留部６８を下に位置するようにシャッタ本体板６６を傾斜させることで、一時貯留部６８に雨水を集め、この雨水が所定量一時貯留部６８に溜まったときに、雨水の自重でシャッタ部材５８を回転させ、自動的にます本体２１に雨水を流すことができる部材である。
【００２２】
また、シャッタ部材５８は、支持部６７から一時貯留部６８先端までの距離をＡ１、支持部６７からストッパ部６９先端までの距離をＡ２とするときに、これらの距離Ａ１，Ａ２の関係をＡ２＞Ａ１に設定することで、雨水が排水管２３，２４から逆流したときに、逆流した雨水による一時貯留部６８先端の回転モーメントよりもストッパ部６９先端の回転モーメントが大きく作用させることで、逆流した雨水自身でシャッタ部材５８を開けることができるようにした部材でもある。次図でシャッタ部材５８の動きを説明する。
【００２３】
図４（ａ）〜（ｃ）は本発明に係る雨水ますのシャッタ部材の動きを示す動作説明図である。
（ａ）において、ます蓋２２から流入する雨水は、傾斜させたシャッタ本体板６６を矢印ａ１，ａ２の如く流れることで一時貯留部６８に集まる。一時貯留部６８に雨水が集まることで、一時貯留部６８側の重量がストッパ部６９側の重量を超えたときに、シャッタ部材５８は矢印ａ３の如く回転する。
【００２４】
（ｂ）において、シャッタ部材５８が矢印ｂ１の如く回転することで、一時貯留部６８に集まった雨水は、矢印ｂ２の如くます本体２１に自動的に空けられる。一時貯留部６８の雨水がなくなることで、一時貯留部６８側の重量がストッパ部６９側の重量よりも軽くなり、シャッタ部材５８は自動的に矢印ｂ３の如く（ａ）に示す初期位置に戻る。通常状態で雨水が雨水ます２０に流入する場合は、（ａ），（ｂ）の示す状態を繰り返す。
【００２５】
すなわち、雨水ます２０は、シャッタ部材５８で間欠的にます本体２１の溜まり部４４を開放するようにしたので、溜まり部４４に蚊が侵入する確率を小さくすることができる。この結果、溜まり水に蚊が卵を産み付け、ぼうふらが発生し、蚊が大量に発生することの防止を図ることができる。
また、雨水ます２０のシャッタ部材５８は、いわゆる「ししおどし」の動きをさせるものであり、構造が簡単なので壊れにくい構造であると言える。この結果、雨水ます２０の耐久性の向上を図ることができる。
【００２６】
（ｃ）において、大雨等で排水管２４から流した雨水が逆流した場合のシャッタ部材５８の動きを説明する。
シャッタ部材５８は、支持部６７から一時貯留部６８先端までの距離をＡ１、支持部６７からストッパ部６９先端までの距離をＡ２とするときに、これらの距離Ａ１，Ａ２の関係をＡ２＞Ａ１に設定したものであり、一時貯留部６８先端に逆流した雨水による力Ｆが加わり、ストッパ部６９先端に逆流した雨水による力Ｆが加わった場合には、一時貯留部６８先端の回転モーメントはＦ・Ａ１、ストッパ部６９先端での回転モーメントはＦ・Ａ２となり、Ａ２＞Ａ１からストッパ部６９先端での回転モーメントが一時貯留部６８先端の回転モーメントより大きく作用する。従って、シャッタ部材５８は、雨水の逆流で矢印ｃ１の如く回転することができる。
【００２７】
すなわち、シャッタ部材５８は、支持部６７から一時貯留部６８先端までの距離Ａ１と支持部６７からストッパ部６９先端までの距離Ａ２との関係をＡ２＞Ａ１に設定することで、雨水の逆流を許容することができる。
この結果、雨水ますに中蓋３３を設けるときに、この中蓋３３の逆流機能を簡易な構成で実現することができ、雨水ますの耐久性の向上を図ることができる。
【００２８】
図５は本発明に係る雨水ますの蚊発生防止装置のブロック図であり、雨水ます２０の蚊発生防止装置３５は、前述したように、植込み部１７（図１参照）に設けた太陽電池２８と、この太陽電池２８から電力の供給を受ける制御ユニット５９と、この制御ユニット５９で制御することで超音波を発生させる超音波発生部６１と、からなる。
【００２９】
制御ユニット５９は、太陽電池２８からの電力を蓄える蓄電部７６と、この蓄電部７６で蓄えた電力を供給することで超音波を作成する超音波作成回路部７７と、この超音波作成回路部７７で作成する超音波を超音波発生部６１から発生させる時期若しくは間隔を制御する超音波発生間隔設定部７８と、これらの蓄電部７６、超音波作成回路部７７及び超音波発生間隔設定部７８を一括して覆う防水ケース７９と、からなる。
【００３０】
図６は図１の６−６線断面図であり、雨水ますは、排水管２３〜２６の途中にます本体２１を設置し、このます本体２１の上部に雨水を通すます蓋（スクリーン）２２を取付け、このます蓋２２の下方に蚊の発生を防止する蚊発生防止装置３５を付設した雨水ますであって、蚊発生防止装置３５を、ます蓋２２に向けて超音波を発生させるためにます本体２１に設けた超音波発生部６１と、この超音波発生部６１を制御するためにます本体２１に設けた制御ユニット（制御部）５９と、この制御ユニット５９に電力を供給するためにます本体２１の外部に設けた太陽電池（電源）２８と、から構成したものと言える。
【００３１】
例えば、環境に悪影響をおよぼすことなく、蚊の発生を効果的に防止することができるとすれば、環境保全を図る上で好ましいことである。
一般的に、産卵期の雌の蚊は、雄の蚊との接触を嫌う性質があることが知られる。従って、雄の蚊が発生する周波数の超音波を発生することで、雌の蚊を追い払えると考えられる。
【００３２】
そこで、ます蓋（スクリーン）２２に向けて超音波を発生させるためにます本体２１に超音波発生部６１を設け、この超音波発生部６１を制御するためにます本体に制御ユニット（制御部）５９を設け、この制御ユニット５９に電力を供給するためにます本体２１の外部に太陽電池（電源）２８けることで、ます本体２１に溜まった雨水に蚊が卵を産み付けようとするときに、超音波を発生させ蚊を追い払うようにした。雨水ます２０に人間の耳には聞こえにくい超音波を発生させるだけなので、例えば、雨水ます２０の下流に公害を引き起すような物質を流すことはない。この結果、環境の保全を図ることができる。
【００３３】
以上に述べた雨水ます２０の作用を次に説明する。
図７（ａ），（ｂ）は本発明に係る雨水ますの作用説明図であり、（ａ）は比較例の雨水ます１００を示し、（ｂ）は実施例の雨水ます２０を示す。
（ａ）において、雨水ます１００は、排水管１０１，１０１（一方の１０１は不図示）の途中にます本体１０３を設置し、このます本体１０３の上部に雨水を通すスクリーン（ます蓋）１０４を取付けたものであり、ます本体１０３の底１０５に溜まった溜まり水１０６にます蓋１０４から侵入した蚊が卵を産み付け、ぼうふらが発生し、蚊が大量に発生する。
【００３４】
（ｂ）において、雨水ます２０は、排水管２３，２４（２３は不図示）の途中にます本体２１を設置し、このます本体２１の上部に雨水を通すます蓋（スクリーン）２２を取付け、このます蓋２２の下方に蚊の発生を防止する蚊発生防止装置３５を付設したので、蚊発生防止装置３５の超音波発生部６１から超音波を発生させ、溜まり部４４に溜まった雨水に、卵を産み付けに近寄る蚊を追い払う。
すなわち、環境に悪影響をおよぼすことなく、蚊の発生を効果的に防止することができる。この結果、環境の保全を図ることができる。
【００３５】
図８は本発明に係る第２実施の形態の雨水ますの正面断面図であり、雨水ます２０（図３参照）に使用した部品と同一部品は同一符号を用い詳細な説明は省略する。
図中、２１はます本体、２２はます蓋、２４は排水管、２８は太陽電池、３５は蚊発生防止装置、５９は制御ユニット、６１は超音波発生部、８７は枠体であり、雨水ます８０は、図３に示す中蓋３３を用いることなく、スクリーンとしてのコンクリート若しくは鉄製のます蓋８２の開口８３から雨水を流入させるようにしたものである。
すなわち、雨水ます８０は、図３に示す中蓋３３を用いることないので、雨水ます８０の構造の簡素化を図ることができる。
【００３６】
図９は本発明に係る第３実施の形態の雨水ますの正面断面図であり、雨水ます２０（図３参照）に使用した部品と同一部品は同一符号を用い詳細な説明は省略する。
図中、２１はます本体、２４は排水管、３５は蚊発生防止装置、５９は制御ユニット、６１は超音波発生部、９７は枠体であり、雨水ます９０は、図３に示す中蓋３３を用いることなく、太陽光をます蓋２２の開口孔５５・・・からます本体２１に導けることを利用して、電源としての太陽電池９８を枠体９７に取付けたものである。
すなわち、雨水ます９０は、ます本体２１内に設けることで雨水ます９０のコストの低減を図ることができる。
【００３７】
尚、実施の形態では図４に示すように、シャッタ部材５８の一時貯留部６８から雨水を排出するときはシャッタ部材５８を回転させたが、これに限るものではなく、シャッタ部材の一時貯留部にドレン用孔を設け、雨上がりのときに最後に溜まった雨水をます本体に流すようにしてもよい。
【００３８】
実施の形態では図６に示すように、ます本体２１に排水管２３〜２６を接続したが、これに限るものではなく、排水管は排水溝であってもよい。
実施の形態では図６に示すように、各雨水ますに電源（太陽電池）２８を設けたが、これに限るものではなく、１個の電源（太陽電池）から複数の制御ユニットに分配して供給するようにしたものであってもよい。
実施の形態では図６に示すように、各雨水ますに太陽電池２８を設けたが、これに限るものではなく、交流電源若しくは他の蓄電池を用いたものであってもよい。
【００３９】
実施の形態では図５に示すように、超音波発生間隔設定部７８で超音波発生部６１から発生させる時期若しくは間隔を制御するようにしたが、これに限るものではなく、制御ユニット（制御部）に外気温度を検出して夏場と冬場で発信間隔を変化させるプログラムを備えたものであってもよく、又外光を検出して昼夜で発信間隔を変化させるプログラムを備えたものであってもよい。
【００４０】
【発明の効果】
本発明は上記構成により次の効果を発揮する。
請求項１では、蚊発生防止装置を、スクリーンに向けて超音波を発生させるためにます本体に設けた超音波発生部と、この超音波発生部を制御するためにます本体に設けた制御部と、この制御部に電力を供給するためにます本体の内部若しくは外部に設けた電源と、から構成ことで、環境に悪影響をおよぼすことなく、蚊の発生を効果的に防止することができる。この結果、環境の保全を図ることができる。
【図面の簡単な説明】
【図１】本発明に係る雨水ますを埋設する道路の鳥観図
【図２】本発明に係る雨水ますの分解斜視図
【図３】本発明に係る雨水ますの正面断面図
【図４】本発明に係る雨水ますのシャッタ部材の動きを示す動作説明図
【図５】本発明に係る雨水ますの蚊発生防止装置のブロック図
【図６】図１の６−６線断面図
【図７】本発明に係る雨水ますの作用説明図
【図８】本発明に係る第２実施の形態の雨水ますの正面断面図
【図９】本発明に係る第３実施の形態の雨水ますの正面断面図
【図１０】特開２００２−２０１７０４公報の図１の再掲図
【図１１】特開２０００−１５４５８９公報の図１の再掲図
【符号の説明】
２０，８０，９０…雨水ます、２１…ます本体、２２，８２…スクリーン（ます蓋）、２３〜２６…排水管、２８，９８…電源（太陽電池）、３５…蚊発生防止装置、５９…制御部（制御ユニット）、６１…超音波発生部。
【図１】
2004285637.tif 000003
【図２】
2004285637.tif 000004
【図３】
2004285637.tif 000005
【図４】
2004285637.tif 000006
【図５】
2004285637.tif 000007
【図６】
2004285637.tif 000008
【図７】
2004285637.tif 000009
【図８】
2004285637.tif 000010
【図９】
2004285637.tif 000011
【図１０】
2004285637.tif 000012
【図１１】
2004285637.tif 000013